【手続補正書】
【提出日】平成26年11月17日(2014.11.17)
【手続補正１】
【補正対象書類名】特許請求の範囲
【補正対象項目名】全文
【補正方法】変更
【補正の内容】
【特許請求の範囲】
【請求項１】
周囲に複数の図柄が付された複数の回転リールと、
すべての回転リールの回転を開始させるためのスタートスイッチと、
各回転リールに対応して設けられかつ各回転リールの回転を停止させるためのストップスイッチと、を備え、
遊技媒体のベットにより遊技の開始を可能とし、スタートスイッチの操作を条件として回転リールの回転を開始させ、複数の役のいずれかに当選か又はハズレかの役抽選を行い、該抽選の結果及びストップスイッチの操作に基づいて回転リールの回転を適位置で停止させ、当選した役を構成する図柄の組み合わせが有効入賞ライン上に停止表示されたか否かの判定を行い、該判定の結果に応じて所定の利益を遊技者に付与する又は付与しないことで１回の遊技が終了する遊技機であって、
少なくとも第１状態を含む複数の遊技状態の間で遊技状態の移行を制御する遊技状態移行制御手段と、
遊技機外部の外部装置に送信する信号である外部信号の送信を制御する外部信号送信制御手段と、
少なくとも第１有利演出状態と第２有利演出状態とを含む複数の演出状態の間で演出状態を移行させ、演出状態が第１有利演出状態又は第２有利演出状態である場合に、第１の特定の図柄の組み合わせ（以下、「第１図柄組み合わせ」とする。）が有効入賞ライン上に停止表示されることを回避するための回避報知演出を実行可能な演出制御手段と、を備え、
遊技状態移行制御手段は、
第１状態において、第１図柄組み合わせが有効入賞ライン上に停止表示された場合に、予め定められた特定の遊技状態へ遊技状態を移行させ、
外部信号送信制御手段は、
遊技状態が第１状態へ移行したときに、特定の外部信号を外部装置に送信し、
演出制御手段は、
第１有利演出状態における所定の終了時において、所定の継続条件が成立しているときには、第１有利演出状態を継続し、所定の継続条件が成立していないときには、第１有利演出状態を終了し、
第２有利演出状態における所定の終了時において、第１有利演出状態の所定の継続条件と同一又は異なる継続条件が成立しているときには、第２有利演出状態を継続し、その継続条件が成立していないときには、第２有利演出状態を終了し、
演出制御手段は、
演出状態が第１有利演出状態又は第２有利演出状態である場合には、原則として、回避報知演出を実行するものの、第１有利演出状態が継続した場合に、遊技状態が第１状態であるときには、遊技状態が第１状態から他の所定の遊技状態へ移行するまで回避報知演出の実行を中断し、遊技状態が第１状態から他の所定の遊技状態へ移行した後は、少なくとも、再び第１状態へ移行したときには、その第１状態においては、回避報知演出を実行し、
第２有利演出状態が継続した場合に、遊技状態が第１状態であっても、回避報知演出の実行を中断することなく回避報知演出を実行し、
第１有利演出状態において回避報知演出の実行を中断してから再開するまでの間のうちの少なくとも一部の期間の遊技は、第１有利演出状態又は第２有利演出状態において回避報知演出を実行する遊技よりも、遊技者にとって不利な遊技となるように形成されていることを特徴とする遊技機。
【請求項２】
遊技状態として、第２状態を備え、
複数の役のいずれかに当選か又はハズレかをあらかじめ定めた役抽選テーブルを有し、
遊技状態に応じていずれかの役抽選テーブルを参照して、複数の役のいずれかに当選か又はハズレかの役抽選を行う役抽選手段を備え、
役抽選手段は、
第２状態においては、第１状態において参照される役抽選テーブルよりも遊技者にとって不利に設定された役抽選テーブルを参照して役抽選を行うように形成され、
遊技状態移行制御手段は、
第２状態において、第２の特定の図柄の組み合わせ（以下、「第２図柄組み合わせ」とする。）が有効入賞ライン上に停止表示された場合に、遊技状態を第１状態へ移行させ、
第１状態において、第１図柄組み合わせが有効入賞ライン上に停止表示された場合に、特定の遊技状態としての第２状態へ遊技状態を移行させるように形成され、
演出制御手段は、
継続した第１有利演出状態において、遊技状態が第１状態から第２状態へ移行したときには、その第１状態において、第２図柄組み合わせを有効入賞ライン上に停止表示させるための特別報知演出を実行するとともに、中断した回避報知演出の実行を再開するように形成されていることを特徴とする請求項１に記載の遊技機。
【請求項３】
特定役を含む複数の役のいずれかに当選か又はハズレかをあらかじめ定めた役抽選テーブルを有し、遊技状態に応じていずれかの役抽選テーブルを参照して、特定役を含む複数の役のいずれかに当選か又はハズレかの役抽選を行う役抽選手段と、
役抽選の結果と、各ストップスイッチが操作された際における対応する回転リールの回転位置とに基づいて、各回転リールの回転を適位置で停止させる停止制御を行う停止制御手段と、を備え、
少なくとも第１状態において参照される役抽選テーブルには、特定役を含む複数の役に重複して当選する重複当選領域が設定され、
停止制御手段は、
役抽選により特定役を含む複数の役に重複して当選した場合には、ストップスイッチの操作態様に応じて、特定役を構成する図柄の組み合わせ又は第１図柄組み合わせが有効入賞ライン上に停止表示されることがあるように回転リールの回転を停止させるように形成され、
演出制御手段は、
回避報知演出として、特定役を構成する図柄の組み合わせを有効入賞ライン上に停止表示させるためのストップスイッチの操作態様を遊技者に報知するように形成されていることを特徴とする請求項１又は２に記載の遊技機。
【請求項４】
周囲に複数の図柄が付された複数の回転リールと、
すべての回転リールの回転を開始させるためのスタートスイッチと、
各回転リールに対応して設けられかつ各回転リールの回転を停止させるためのストップスイッチと、を備え、
遊技媒体のベットにより遊技の開始を可能とし、スタートスイッチの操作を条件として回転リールの回転を開始させ、複数の役のいずれかに当選か又はハズレかの役抽選を行い、該抽選の結果及びストップスイッチの操作に基づいて回転リールの回転を適位置で停止させ、当選した役を構成する図柄の組み合わせが有効入賞ライン上に停止表示されたか否かの判定を行い、該判定の結果に応じて所定の利益を遊技者に付与する又は付与しないことで１回の遊技が終了する遊技機であって、
少なくとも第１状態を含む複数の遊技状態の間で遊技状態の移行を制御する遊技状態移行制御手段と、
遊技機外部の外部装置に送信する信号である外部信号の送信を制御する外部信号送信制御手段と、
少なくとも第１有利演出状態を含む複数の演出状態の間で演出状態を移行させ、演出状態が第１有利演出状態である場合に、第１の特定の図柄の組み合わせ（以下、「第１図柄組み合わせ」とする。）が有効入賞ライン上に停止表示されることを回避するための回避報知演出を実行可能な演出制御手段と、を備え、
遊技状態移行制御手段は、
第１状態において、第１図柄組み合わせが有効入賞ライン上に停止表示された場合に、予め定められた特定の遊技状態へ遊技状態を移行させ、
外部信号送信制御手段は、
遊技状態が第１状態へ移行したときに、特定の外部信号を外部装置に送信し、
演出制御手段は、
第１有利演出状態における所定の終了時において、所定の継続条件が成立しているときには、第１有利演出状態を継続し、所定の継続条件が成立していないときには、第１有利演出状態を終了し、
演出制御手段は、
演出状態が第１有利演出状態である場合には、原則として、回避報知演出を実行するものの、第１有利演出状態が継続した場合に、遊技状態が第１状態であるときには、遊技状態が第１状態から他の所定の遊技状態へ移行するまで回避報知演出の実行を中断し、遊技状態が第１状態から他の所定の遊技状態へ移行した後は、少なくとも、再び第１状態へ移行したときには、その第１状態においては、回避報知演出を実行することを特徴とする遊技機。
【手続補正２】
【補正対象書類名】明細書
【補正対象項目名】０００７
【補正方法】変更
【補正の内容】
【０００７】
各請求項に記載された発明は、上記した各目的を達成するためになされたものであり、本発明の特徴点を図面に示した発明の実施の形態を用いて、以下に説明する。
なお、符号は、発明の実施の形態において用いた符号を示し、本発明の技術的範囲を限定するものではない。
（請求項１）
請求項１記載の発明は、周囲に複数の図柄が付された複数の回転リール45と、すべての回転リール45の回転を開始させるためのスタートスイッチ33と、各回転リール45に対応して設けられかつ各回転リール45の回転を停止させるためのストップスイッチ34と、を備え、遊技媒体のベットにより遊技の開始を可能とし、スタートスイッチ33の操作を条件として回転リール45の回転を開始させ、複数の役のいずれかに当選か又はハズレかの役抽選を行い、該抽選の結果及びストップスイッチ34の操作に基づいて回転リール45の回転を適位置で停止させ、当選した役を構成する図柄の組み合わせが有効入賞ライン上に停止表示されたか否かの判定を行い、該判定の結果に応じて所定の利益を遊技者に付与する又は付与しないことで１回の遊技が終了する遊技機であって、少なくとも第１状態を含む複数の遊技状態の間で遊技状態の移行を制御する遊技状態移行制御手段135と、遊技機外部の外部装置に送信する信号である外部信号の送信を制御する外部信号送信制御手段140と、少なくとも第１有利演出状態と第２有利演出状態とを含む複数の演出状態の間で演出状態を移行させ、演出状態が第１有利演出状態又は第２有利演出状態である場合に、第１の特定の図柄の組み合わせ（以下、「第１図柄組み合わせ」とする。）が有効入賞ライン上に停止表示されることを回避するための回避報知演出を実行可能な演出制御手段150と、を備え、遊技状態移行制御手段135は、第１状態において、第１図柄組み合わせが有効入賞ライン上に停止表示された場合に、予め定められた特定の遊技状態へ遊技状態を移行させ、外部信号送信制御手段140は、遊技状態が第１状態へ移行したときに、特定の外部信号を外部装置に送信し、演出制御手段150は、第１有利演出状態における所定の終了時において、所定の継続条件が成立しているときには、第１有利演出状態を継続し、所定の継続条件が成立していないときには、第１有利演出状態を終了し、第２有利演出状態における所定の終了時において、第１有利演出状態の所定の継続条件と同一又は異なる継続条件が成立しているときには、第２有利演出状態を継続し、その継続条件が成立していないときには、第２有利演出状態を終了し、演出制御手段150は、演出状態が第１有利演出状態又は第２有利演出状態である場合には、原則として、回避報知演出を実行するものの、第１有利演出状態が継続した場合に、遊技状態が第１状態であるときには、遊技状態が第１状態から他の所定の遊技状態へ移行するまで回避報知演出の実行を中断し、遊技状態が第１状態から他の所定の遊技状態へ移行した後は、少なくとも、再び第１状態へ移行したときには、その第１状態においては、回避報知演出を実行し、第２有利演出状態が継続した場合に、遊技状態が第１状態であっても、回避報知演出の実行を中断することなく回避報知演出を実行し、第１有利演出状態において回避報知演出の実行を中断してから再開するまでの間のうちの少なくとも一部の期間の遊技は、第１有利演出状態又は第２有利演出状態において回避報知演出を実行する遊技よりも、遊技者にとって不利な遊技となるように形成されていることを特徴とする。
【手続補正３】
【補正対象書類名】明細書
【補正対象項目名】００１５
【補正方法】変更
【補正の内容】
【００１５】
すなわち本発明では、たとえば、上述したスロットマシン10において、第１図柄図柄組み合わせを、役を構成しない特定のハズレの図柄の組み合わせとし、特定役をメダルの払い出しのある小役とした場合には、第２のＡＲＴ遊技において、１セットが経過した場合に、もう１セット第２のＡＲＴ遊技を実行するときには、回避報知演出の実行を中断することなく１セットの第２のＡＲＴ遊技を開始し、回避報知演出を実行するので、メダルのロスが無くなり、第１のＡＲＴ遊技に比べて出玉率を高くすることができる。
以上より、本発明によれば、演出状態が第１有利演出状態である遊技においては、たとえば１セットが経過してもう１セットを開始するまでに第１図柄組み合わせを有効入賞ライン上に停止表示させなければならないので、第１図柄組み合わせをハズレの図柄の組み合わせとした場合には、遊技媒体のロスが生じるのに対して、演出状態が第２有利演出状態である遊技においては、たとえば１セットが経過してもう１セットを開始するまでに第１図柄組み合わせを有効入賞ライン上に停止表示させる必要はないので、遊技媒体のロスが無くなり、これにより、特定のＡＲＴ遊技の出玉率を高くすることができる。
（請求項４）
請求項４記載の発明は、周囲に複数の図柄が付された複数の回転リール45と、すべての回転リール45の回転を開始させるためのスタートスイッチ33と、各回転リール45に対応して設けられかつ各回転リール45の回転を停止させるためのストップスイッチ34と、を備え、遊技媒体のベットにより遊技の開始を可能とし、スタートスイッチ33の操作を条件として回転リール45の回転を開始させ、複数の役のいずれかに当選か又はハズレかの役抽選を行い、該抽選の結果及びストップスイッチ34の操作に基づいて回転リール45の回転を適位置で停止させ、当選した役を構成する図柄の組み合わせが有効入賞ライン上に停止表示されたか否かの判定を行い、該判定の結果に応じて所定の利益を遊技者に付与する又は付与しないことで１回の遊技が終了する遊技機であって、少なくとも第１状態を含む複数の遊技状態の間で遊技状態の移行を制御する遊技状態移行制御手段135と、遊技機外部の外部装置に送信する信号である外部信号の送信を制御する外部信号送信制御手段140と、少なくとも第１有利演出状態を含む複数の演出状態の間で演出状態を移行させ、演出状態が第１有利演出状態である場合に、第１の特定の図柄の組み合わせ（以下、「第１図柄組み合わせ」とする。）が有効入賞ライン上に停止表示されることを回避するための回避報知演出を実行可能な演出制御手段150と、を備え、遊技状態移行制御手段135は、第１状態において、第１図柄組み合わせが有効入賞ライン上に停止表示された場合に、予め定められた特定の遊技状態へ遊技状態を移行させ、外部信号送信制御手段140は、遊技状態が第１状態へ移行したときに、特定の外部信号を外部装置に送信し、演出制御手段150は、第１有利演出状態における所定の終了時において、所定の継続条件が成立しているときには、第１有利演出状態を継続し、所定の継続条件が成立していないときには、第１有利演出状態を終了し、演出制御手段150は、演出状態が第１有利演出状態である場合には、原則として、回避報知演出を実行するものの、第１有利演出状態が継続した場合に、遊技状態が第１状態であるときには、遊技状態が第１状態から他の所定の遊技状態へ移行するまで回避報知演出の実行を中断し、遊技状態が第１状態から他の所定の遊技状態へ移行した後は、少なくとも、再び第１状態へ移行したときには、その第１状態においては、回避報知演出を実行することを特徴とする。